(57)【要約】【課題】複数通りの使い方ができるバッグを提供する。【解決手段】外側の第１のバッグ２と、該第１のバッグ２の開口部３から収納可能な内側の第２のバッグ４とを備え、第１のバッグ２は、上方に開口部３を有し、開口部３の周縁に設けられた手提げ用の一対の手提げハンドル５，５と、バッグ胴部に設けられた左右一対の肩ベルト６，６とを備え、手提げバッグ兼バックパック用として使用可能とされ、第２のバッグ４は、第１のバッグ２よりもわずかに小さな外形を有し、上方開口部１３の周縁に肩掛け用ストラップ１９が着脱可能に連結され、ショルダーバッグとして使用可能とされている。【選択図】図１
2018175384.tif 000002
【特許請求の範囲】
【請求項１】
外側の第１のバッグと、該第１のバッグの開口部から収納可能な内側の第２のバッグとを備えたバッグにおいて、
第１のバッグは、上方に開口を有し、開口部の周縁に設けられた手提げ用の一対の手提げハンドルと、バッグ胴部に設けられた左右一対の肩ベルトとを備え、手提げバッグ兼バックパック用のバッグとされ、
第２のバッグは、前記第１のバッグよりもわずかに小さい外形を有し、上方開口部の周縁に肩掛け用ストラップを有し、ショルダーバッグ用とされたことを特徴とするバッグ。
【請求項２】
第１のバッグの開口部の内側の複数個所に間隔をおいて第１の留め具が配置され、第２のバッグの開口部の外側に前記第１の留め具に対応して第２の留め具が配置された、請求項１に記載のバッグ。
【請求項３】
前記肩掛け用ストラップは、その両端に連結金具を備え、前記肩掛け用ストラップが、第２のバッグの開口部周縁に着脱可能に連結されている、請求項１又は２に記載のバッグ。
【請求項４】
前記第２のバッグの開口部を開閉可能に封鎖する巾着型のカバーが第２のバッグの開口部に縫製された、請求項１〜３のいずれかに記載のバッグ。
【請求項５】
前記第１のバッグの開口部に開口部の幅を調整する留め具付きストラップが設けられた、請求項１〜４のいずれかに記載のバッグ。  
【発明の詳細な説明】
【技術分野】
【０００１】
本発明は、ほぼ同じ大きさの第1のバッグと第2のバッグとを備えた複数通りの使い方ができるバッグに関するものである。
【背景技術】
【０００２】
この種のバッグとして単独で使用した場合でも、ファッショナブルな第１のバッグと、第２のバッグとを備え、第２のバッグを第１のバッグに収容した場合、第１のバッグと第２のバッグとにより構成される空間を有効利用できるようにしたバッグが開示されている。
【０００３】
この特許文献１では、ファッショナブル性と、第１のバッグと第２のバッグとの間にできた空間の有効利用を目的としており、そのため、第１のバッグの容積に比べて第２のバッグの外形は比較的小さく、両バッグ間の隙間に人の手指や腕を挿入し、両バッグ間の隙間に収容された収容物を取り出すことが可能となっている。
【先行技術文献】
【特許文献】
【０００４】
【特許文献１】特開２０１３−２０２０９７号公報
【発明の概要】
【発明が解決しようとする課題】
【０００５】
ところで、特許文献１では、第１のバッグに手提げ機能とショルダーバッグ機能を持たせ、第２のバッグにショルダーバッグ機能を持たせているが、さらに、同じ程度の大きさの内外の第１のバッグと第２のバッグとにさらなる機能を付加してもらいたいとの要望がある。例えば、第１のバッグに手提げ機能の他、バックパック機能を持たせる等の要望もある。
【０００６】
本発明は、上記のユーザーの要望に応えるべく複数通りの使い方ができるバッグの提供を目的としている。
【課題を解決するための手段】
【０００７】
上記目的を達成するため、本発明は、外側の第１のバッグと、該第１のバッグの開口部から収納可能な内側の第２のバッグとを備えたバッグにおいて、第１のバッグは、上方に開口を有し、開口部の周縁に設けられた手提げ用の一対の手提げハンドルと、バッグ胴部に設けられた左右一対の肩ベルトとを備え、手提げバッグ兼バックパック用のバッグとされ、第２のバッグは、前記第１のバッグよりもわずかに小さい外形を有し、上方開口部の周縁に肩掛け用ストラップを有し、ショルダーバッグ用とされたことを特徴としている。
【発明の効果】
【０００８】
本発明によると、第１のバッグに手提げ機能とバックパック機能とを付与し、また、同じ程度の大きさの第２のバッグにショルダー機能を持たせているので、３通りの使い方が可能であり、様々なシチュエーションに対応した多機能なバッグを提供することができる。したがって、通常の買い物や通勤通学にも使用することができるばかりか、旅行やピクニック、アウトドア等のレジャーにも用いることができる。
【図面の簡単な説明】
【０００９】
【図１】本発明の実施形態であるバッグにおいて、第１のバッグと第２のバッグとを分離した状態を示す分解斜視図である。
【図２】第１のバッグ内に第２のバッグを収納して両者を止着した状態を示す斜視図である。
【図３】（ａ）トートバッグ（手提げバッグ）としての使い方、（ｂ）はバックパックとしての使い方、（ｃ）はショルダーバッグとしての使い方をそれぞれ示す図である。
【図４】ショルダーストラップの連結手段を示す図である。
【発明を実施するための形態】
【００１０】
以下、本発明の実施形態を図面に基づいて説明する。図に示すとおり、本実施形態のバッグ１は、外側の第１のバッグ２と、該第１のバッグ２の開口部３から収納可能な内側の第２のバッグ４とを備えている。
【００１１】
第１のバッグ２は、上方に開口部３を有し、該開口部３の外周縁に設けられた手提げ用の一対の逆Ｕ字状の手提げハンドル５，５と、バッグ胴部２ｃの後見頃２ｂに設けられた左右一対の肩ベルト６，６とを備え、手提げバッグ機能（トートバッグ機能）とバックパック機能とを兼用することができる。
【００１２】
肩ベルト６，６は、その上端部が持ち手ハンドル５，５の基端部と共に開口部３の外周縁のバッグ胴部２ｃに縫い合わされており、横「日」形のアジャスタ７（トリグライド）により、その長さが調整可能とされている。肩ベルト６，６の下端部は、底マチ８の周縁部に縫い付けられている。
【００１３】
第１のバッグ２は、前見頃２ａと後見頃２ｂとの端部同士が縫い合わせて筒状のバッグ胴部２ｃが形成され、その下部側に底部が縫合わされて底マチ部８が形成されている。第１のバッグ２の大きさは、例えば横５０ｃｍ、高さ４０ｃｍ、底マチ１５ｃｍとし、持ち手ハンドル５，５の開口部３からの高さを２５ｃｍとし、手提げで持ったり、肩に担いだりする態様の両方が可能となっている。
【００１４】
第１のバッグ２の前見頃２ａには、図３（ｂ）に示すように、左右方向で３列のポケット９ａ，９ｂ，９ｃが形成される。中央のポケット９ｂは蓋１０つきでスライドファスナー１１により開閉する。ファスナー１１付きのため、重要な収容物も安心して収納することができる。左右のポケット９ａ，９ｃは、上方が開口しており、ペットボトル等を収納可能な大きさとなっており、上方開放のため取り出しも容易に行えるようになっている。
【００１５】
第１のバッグ２の開口部３の内側には、図２に示すように、その複数（例えば４箇所）に間隔をおいて第１の留め具１２ａが配置され、第２のバッグ４の開口部１３の外側に第１の留め具１２ａに対応して第２の留め具１２ｂが配置されている。第１の留め具１２ａは例えば雌型のホックボタンとされ、第２の留め具１２ｂは雄型のホックボタンとされる。第１のバッグ２の開口部３から内側に第２のバッグ４を収容し、その外側の第２の留め具１２ｂと第１のバッグ２の内側にある第１の留め具１２ａとを嵌め合せることで、第２のバッグ４が第１のバッグ２に止着されて一体化される。
【００１６】
前記第１のバッグ２の開口部３には、その開口部を中央部で止める留め具１４（サイドリリースバックル）が設けられる。この留め具１４は、雄型バックル１４ａと雌型のバックル１４ｂとから構成され、それぞれストラップ１５により開口部３の周縁に対面するように縫い合わされており、ストラップ１５はその長さが調整可能とされ、これにより、開口部３の大きさを調整可能とされている。
【００１７】
第２のバッグ４は、上方開口部１３を有し、前見頃４ａと後見頃４ｂとの端部同士が縫い合わせて筒状のバッグ胴部４ｃが形成され、その下部側が底部として縫い合わされて底マチ部４ｄが形成されている。第２のバッグ４は、第１のバッグ２よりもわずかに小さい外形を有している。例えば、第１のバッグ２の大きさが横５０ｃｍ、高さ４０ｃｍ、底マチ１５ｃｍならば、第２のバッグ４の大きさは、横４８ｃｍ、高さ３８ｃｍ、底マチ１３ｃｍ程度に設定される。
【００１８】
前記第２のバッグ４は、その開口部１３を開閉可能に封鎖する巾着型のカバー１６が開口部１３の周縁に縫い合わされており、巾着紐１７により開口部１３を開閉可能とされている。
【００１９】
また、第２のバッグ４の上方開口部１３には肩掛け用ストラップ１９が取り付けられ、第２のバッグ４をショルダーバッグ用として使用できるようになっている。肩掛け用ストラップ１９は、アジャスタ２０によりその長さを調整可能とされると共に、その両端にナスカン型の連結金具２１，２１を備え、第２のバッグ４の開口部１３の周縁に形成された左右一対のＤリング状の連結金具受け２２，２２が取り付けられ、この金具受け２２に連結金具２１が着脱可能に連結される。アジャスタ２０、連結金具２１及び連結金具受け２２は、周知な構造であるため、図４に示すに止め、詳細な説明は省略する。
【００２０】
なお、第１のバッグ２及び第２のバッグ４は、その素材を帆布やポリエステル、ナイロン等の合成樹脂素材を使用して作成することができ、表面にファッショナブルな模様、色彩を施すことができる。したがって、単独で使用しても、あるいは組み合わせて使用しても、ファッション性に優れたバッグを提供することができる。
【００２１】
また、手提げハンドル５，５の一方には、図２に示すように、一対のハンドル５，５をまとめて括るためのストラップ２３とスナップボタン２４とが設けられ、ストラップ２３を他方の手提げハンドル５に巻き、その先端の雌型スナップボタン２４ａをストラップの基端側に設けられた雌型スナップボタン２４ｂに係止して、両手提げハンドル５，５をまとめて括るようにしている。
【００２２】
上記構成においては、第１のバッグ２の内側に第２のバッグ４を収容し、第２のバッグ４に収納物を入れて手提げハンドル５，５を持ち、手提げ用バッグとして使用する（図３（ａ）参照）。あるいは肩ベルト６，６によりバッグを背負い、バックパックとしても使用する（図３（ｂ）参照）。また、同じ程度の大きさの第２のバッグ４にショルダーストラップ１９を備えているので、第２のバッグ４を第１のバッグ２から取り外し、ショルダーストラップ１９の連結金具２１を金具受け２２に係止し、ショルダーストラップ１９を肩に掛けて、第２のバッグ４をショルダーバッグとして使用する。
【００２３】
このように、第１のバッグ２と第２のバッグ４とは互いに単独で使用することもでき、また、両者を組み合わせて使用することもできる。また、第１のバッグ２には、トートバッグ機能とバックパック機能とを兼ね備えており、しかも、第２のバッグ４には、ショルダーバッグ機能を付与しているので、少なくとも３種類の使い方が可能であり、様々なシチュエーションに対応した多機能なバッグを提供することができる。したがって、通常の買い物や通勤通学にも使用することができるばかりか、旅行やピクニック、アウトドア等のレジャーにも用いることができる。
【００２４】
なお、本発明は、上記実施形態に限定されるものではなく、本発明の範囲内で多くの修正・変更を加えることができるのは勿論である。例えば、第２のバッグにショルダー機能のみならず、肩ベルトによりバックパック機能を持たせる態様であってもよいことは勿論である。
【符号の説明】
【００２５】
１    バッグ
２    第１のバッグ
３    開口部
４    第２のバッグ
５    手提げハンドル
６    肩ベルト
７    アジャスタ
８    底マチ
９ａ，９ｂ，９ｃ    ポケット
１０    蓋
１１      スライドファスナー
１２ａ    第１の留め具
１２ｂ    第２の留め具
１３    開口部
１４    留め具（バックル）
１５    ストラップ
１６    巾着型カバー
１７    巾着紐
１９    肩掛け用ストラップ
２０    アジャスタ
２１    連結金具
２２    連結金具受け
２３    ストラップ
２４    スナップボタン
【図１】
2018175384.tif 000003
【図２】
2018175384.tif 000004
【図３】
2018175384.tif 000005
【図４】
2018175384.tif 000006